【手続補正書】
【提出日】平成29年5月18日(2017.5.18)
【手続補正１】
【補正対象書類名】特許請求の範囲
【補正対象項目名】全文
【補正方法】変更
【補正の内容】
【特許請求の範囲】
【請求項１】
データ通信の方法であって、
第1のデバイスにおいて、1組のビットから遷移番号を生成するステップと、
前記第1のデバイスにおいて、前記遷移番号をシンボルのシーケンスに変換するステップであって、タイミング情報がシンボルの前記シーケンス内のシンボル間の遷移内で符号化される、ステップと、
2線シリアルバスが第1の動作モードで動作するとき、前記第1のデバイスから、前記2線シリアルバス上でシンボルの前記シーケンスを送信するステップであって、連続するシンボル間の各遷移が前記2線シリアルバスのシグナリング状態における変化を引き起こす、ステップと
を含み、
前記2線シリアルバスが前記第1の動作モードにある間に、前記2線シリアルバスに接続された第2のデバイスによりシンボルの前記シーケンスが無視され、前記第2のデバイスは、前記2線シリアルバスの第2の動作モードを使用して前記2線シリアルバス上で通信するように構成される、
方法。
【請求項２】
前記遷移番号が12桁の3進数を備える、請求項1に記載の方法。
【請求項３】
前記遷移番号をシンボルの前記シーケンスに変換するステップが、
前記1組のビットを3進遷移番号に変換するステップと、
前記3進遷移番号をトランスコーダに与えるステップであって、最初に前記3進遷移番号の最上位桁が前記トランスコーダに与えられ、最後に前記3進遷移番号の最下位桁が前記トランスコーダに与えられ、前記最上位桁と前記最下位桁との間の中間桁が重みの降順で前記トランスコーダに与えられる、ステップと
を含む、請求項1に記載の方法。
【請求項４】
前記遷移番号をシンボルの前記シーケンスに変換するステップが、
前記1組のビットを3進遷移番号に変換するステップと、
前記3進遷移番号をトランスコーダに与えるステップと、
を含み、
前記3進遷移番号の最上位桁が前記トランスコーダに与えられる、
請求項1に記載の方法。
【請求項５】
前記2線シリアルバスについて4つのシグナリング状態が定義され、前記遷移番号の各桁が、3つの利用可能なシンボルのうちの1つから、前記2線シリアルバス上で送信されるべき次のシンボルを選択し、前記3つの利用可能なシンボルの各々が、前記2線シリアルバス上で送信されている現在のシンボルとは異なる、請求項1に記載の方法。
【請求項６】
シンボルの前記シーケンス内で符号化されたタイミング情報により、受信機がシンボルの前記シーケンスから受信クロックを生成することが可能になる、請求項1に記載の方法。
【請求項７】
前記2線シリアルバスが前記第1の動作モードで動作するとき、前記2線シリアルバスが、カメラ制御インターフェース拡張(CCIe)プロトコルを使用する通信をサポートする多目的バスであり、前記2線シリアルバスが、前記第2の動作モードにおいて集積回路間(I2C)プロトコルを使用する通信をサポートする、請求項1に記載の方法。
【請求項８】
前記2線シリアルバス上でシンボルの前記シーケンスを送信するステップが、
前記第1の動作モードにおいて、前記2線シリアルバス上で送信されたシンボルのシーケンスの間にI2C開始状態を設けるステップ
を含み、
前記開始状態のタイミングが、前記I2Cプロトコルを使用する通信用に構成されたデバイス内の受信ロジックのリセットを引き起こす、請求項7に記載の方法。
【請求項９】
前記2線シリアルバス上でシンボルの前記シーケンスを送信するステップが、
前記2線シリアルバス上で第1のI2C開始状態を送信するステップと、
前記第1のI2C開始状態が送信された後、前記2線シリアルバス上でシンボルの前記シーケンスを送信するステップと、
前記2線シリアルバス上で第2のI2C開始状態を送信するステップと
を含み、
前記2線シリアルバスを監視するI2C受信機が、前記第1の開始状態の後、かつ前記第2のI2C開始状態の前に、前記2線シリアルバスのシリアルクロックライン(SCL)上で最大6クロックサイクルを知覚する、
請求項7に記載の方法。
【請求項１０】
制御シーケンスが前記2線シリアルバス上で送信された後、前記第1の動作モードから前記第2の動作モードに変更するステップをさらに含む、請求項1に記載の方法。
【請求項１１】
第1のデバイスを備える装置であって、前記第1のデバイスが、
複数の他のデバイスと共有されるように動作可能な2線シリアルバスに前記装置を結合するように適合されたバスインターフェースと、
前記バスインターフェースに結合された処理回路と
を含み、前記処理回路が、
1組のビットから遷移番号を生成することと、
前記遷移番号をシンボルのシーケンスに変換することであって、タイミング情報がシンボルの前記シーケンス内のシンボル間の遷移内で符号化される、変換することと、
2線シリアルバスが第1の動作モードで動作するとき、前記2線シリアルバス上でシンボルの前記シーケンスを送信することであって、連続するシンボル間の各遷移が前記2線シリアルバスのシグナリング状態における変化を引き起こす、送信することと
を行うように構成され、
前記2線シリアルバスが前記第1の動作モードにある間に、前記2線シリアルバスに接続された第2のデバイスによりシンボルの前記シーケンスが無視され、前記第2のデバイスは、前記2線シリアルバスの第2の動作モードを使用して前記2線シリアルバス上で通信するように構成される、
装置。
【請求項１２】
前記遷移番号が12桁の3進数を備える、請求項11に記載の装置。
【請求項１３】
前記処理回路が、
前記1組のビットを3進遷移番号に変換することと、
前記3進遷移番号をトランスコーダに与えることと
を行うことによって、前記遷移番号をシンボルの前記シーケンスに変換するように構成され、
最初に前記3進遷移番号の最上位桁が前記トランスコーダに与えられ、最後に前記3進遷移番号の最下位桁が前記トランスコーダに与えられ、前記最上位桁と前記最下位桁との間の中間桁が重みの降順で前記トランスコーダに与えられる、
請求項12に記載の装置。
【請求項１４】
前記処理回路が、
前記1組のビットを3進遷移番号に変換することと、
前記3進遷移番号をトランスコーダに与えることであって、最後に前記3進遷移番号の最上位桁が前記トランスコーダに与えられる、与えることと
を行うことによって、前記遷移番号をシンボルの前記シーケンスに変換するように構成された、請求項12に記載の装置。
【請求項１５】
前記2線シリアルバスについて4つのシグナリング状態が定義され、前記3進数の各桁が、3つの利用可能なシンボルのうちの1つから、前記2線シリアルバス上で送信されるべき次のシンボルを選択し、前記3つの利用可能なシンボルの各々が、前記2線シリアルバス上で送信されている現在のシンボルとは異なる、請求項12に記載の装置。
【請求項１６】
シンボルの前記シーケンス内で符号化されたタイミング情報により、受信機がシンボルの前記シーケンスから受信クロックを生成することが可能になる、請求項11に記載の装置。
【請求項１７】
前記2線シリアルバスが前記第1の動作モードで動作するとき、前記2線シリアルバスが、カメラ制御インターフェース拡張(CCIe)プロトコルを使用する通信をサポートする多目的バスであり、前記2線シリアルバスが、前記第2の動作モードにおいて集積回路間(I2C)プロトコルを使用する通信をサポートする、請求項11に記載の装置。
【請求項１８】
前記処理回路が、前記第1の動作モードにおいて、前記2線シリアルバス上で送信されたシンボルのシーケンスの間にI2C開始状態を設けることによって、前記2線シリアルバス上でシンボルの前記シーケンスを送信するように構成され、前記開始状態のタイミングが、前記I2Cプロトコルを使用する通信用に構成されたデバイス内の受信ロジックのリセットを引き起こす、請求項17に記載の装置。
【請求項１９】
前記処理回路が、
前記2線シリアルバス上で第1のI2C開始状態を送信することと、
前記第1のI2C開始状態が送信された後、前記2線シリアルバス上でシンボルの前記シーケンスを送信することと、
前記2線シリアルバス上で第2のI2C開始状態を送信することと
によって、前記2線シリアルバス上でシンボルの前記シーケンスを送信するように構成され、
前記2線シリアルバスを監視するI2C受信機が、前記第1の開始状態の後、かつ前記第2のI2C開始状態の前に、前記2線シリアルバスのシリアルクロックライン(SCL)上で最大6クロックサイクルを知覚する、
請求項17に記載の装置。
【請求項２０】
前記処理回路が、
制御シーケンスが前記2線シリアルバス上で送信された後、前記第1の動作モードから前記第2の動作モードに変更すること
を行うように構成された、請求項11に記載の装置。
【請求項２１】
データ通信の方法であって、
第1のデバイスにおいて、2線シリアルバスが第1の動作モードで動作するとき、前記2線シリアルバスのシグナリング状態における遷移から受信クロックを導出するステップと、
前記第1のデバイスにおいて、前記受信クロックを使用して、前記第1の動作モードに従って前記2線シリアルバス上で送信されたシンボルのシーケンスを受信するステップであって、前記2線シリアルバスのシグナリング状態における前記遷移が、シンボルの前記シーケンス内のシンボル間の遷移に対応する、ステップと、
前記第1のデバイスにおいて、シンボルの前記シーケンスから遷移番号を生成するステップであって、前記遷移番号が複数の桁を有し、各桁がシンボルの前記シーケンス内の一対の連続するシンボル間の遷移を表す、ステップと、
前記第1のデバイスにおいて、前記遷移番号からデータを復号するステップと
を含み、
前記2線シリアルバスが前記第1の動作モードにある間に、前記2線シリアルバスに接続された第2のデバイスによりシンボルの前記シーケンスが無視され、前記第2のデバイスは、前記2線シリアルバスの第2の動作モードを使用して前記2線シリアルバス上で通信するように構成される、
方法。
【請求項２２】
前記遷移番号が12桁の3進数を備える、請求項21に記載の方法。
【請求項２３】
前記2線シリアルバスについて4つのシグナリング状態が定義され、前記3進数の各桁が、前記2線シリアルバス上の一対の連続するシグナリング状態間の関係を表す、請求項22に記載の方法。
【請求項２４】
シンボルの前記シーケンス内の各シンボルが、前記2線シリアルバスの前記シグナリング状態によって規定された4つのシンボルのうちの1つであり、前記3進数の各桁が、シンボルの前記シーケンス内の一対の連続するシンボル間の関係を規定する、請求項22に記載の方法。
【請求項２５】
前記2線シリアルバスが前記第1の動作モードで動作するとき、前記2線シリアルバスが、カメラ制御インターフェース拡張(CCIe)通信をサポートする多目的バスであり、前記2線シリアルバスが、前記第2の動作モードにおいて集積回路間(I2C)通信をサポートし、前記2線シリアルバスからシンボルの前記シーケンスを受信するステップが、
前記2線シリアルバス上のI2C開始状態を特定するステップと、
前記受信クロックによって画定されたタイミングに従って、前記2線シリアルバスからシンボルの前記シーケンスを受信するステップと
を含む、請求項21に記載の方法。
【請求項２６】
第1のデバイスを備える装置であって、前記第1のデバイスが、
複数の他のデバイスと共有されるように動作可能な2線シリアルバスに前記装置を結合するように適合されたバスインターフェースと、
2線シリアルバスのシグナリング状態における遷移から受信クロックを導出するように構成されたクロック復元回路と、
前記バスインターフェースに結合された処理回路と
を含み、前記処理回路が、
前記受信クロックを使用して、第1の動作モードに従って前記2線シリアルバス上で送信されたシンボルのシーケンスを受信することであって、前記2線シリアルバスのシグナリング状態における前記遷移が、シンボルの前記シーケンス内のシンボル間の遷移に対応する、受信することと、
シンボルの前記シーケンスから遷移番号を生成することであって、前記遷移番号が複数の桁を有し、各桁がシンボルの前記シーケンス内の一対の連続するシンボル間の遷移を表す、生成することと、
前記遷移番号からデータを復号することと
を行うように構成され、
前記2線シリアルバスが前記第1の動作モードにある間に、前記2線シリアルバスに接続された第2のデバイスによりシンボルの前記シーケンスが無視され、前記第2のデバイスは、前記2線シリアルバスの第2の動作モードを使用して前記2線シリアルバス上で通信するように構成される、
装置。
【請求項２７】
前記遷移番号が12桁の3進数を備える、請求項26に記載の装置。
【請求項２８】
前記2線シリアルバスについて4つのシグナリング状態が定義され、前記3進数の各桁が、前記2線シリアルバス上の一対の連続するシグナリング状態間の関係を表す、請求項27に記載の装置。
【請求項２９】
シンボルの前記シーケンス内の各シンボルが、前記2線シリアルバスの前記シグナリング状態によって規定された4つのシンボルのうちの1つであり、前記3進数の各桁が、シンボルの前記シーケンス内の一対の連続するシンボル間の関係を規定する、請求項27に記載の装置。
【請求項３０】
前記2線シリアルバスが前記第1の動作モードで動作するとき、前記2線シリアルバスが、カメラ制御インターフェース拡張(CCIe)通信をサポートする多目的バスであり、前記2線シリアルバスが、前記第2の動作モードにおいて集積回路間(I2C)通信をサポートし、前記2線シリアルバスから受信されたシンボルの前記シーケンスが、少なくとも12個のシンボルを備え、I2C開始によって先行される、請求項26に記載の装置。